(57)【要約】      （修正有）【課題】手持ち携帯式扇風機を提供する。【解決手段】手持ち携帯扇風機であって、モータ格納部１があり、該当モータ格納部上端の切断面は傾斜角になり、接続管２によってバッテリー内蔵部３と接続されている。バッテリー内蔵部下端の切断面も傾斜角になり、該当バッテリー内蔵部の内部にバッテリー６が搭載され、バッテリー下端は電線によってプロセッサ１０と接続されている。該当バッテリー内蔵部のハウジング左側に制御ボード７が取り付けられており、制御ボードにはそれぞれバッテリーＵＳＢポート８と制御ボタンが取り付けられている。バッテリーＵＳＢポートは電線によってバッテリーとつながっており、制御ボタンは電線によってプロセッサとつながっている。モータ格納部内部にモータ１１が搭載されており、モータ下端のモータ軸に回転を調整できる装置が取り付けられている。【選択図】図１
0003225881.tif 000002
【実用新案登録請求の範囲】
【請求項１】
手持ち携帯扇風機であって、モータ格納部（1）があり、該当モータ格納部（1）上端の切断面は45度の傾斜角になり、接続管（2）によってバッテリー内蔵部（3）と接続され、バッテリー内蔵部（3）下端の切断面も45度の傾斜角になり、該当バッテリー内蔵部（3）の内部にバッテリー（6）が搭載され、バッテリー（6）下端は、電線によってプロセッサ（10）と接続され、該当バッテリー内蔵部（3）のハウジング左側に制御ボード（7）が取り付けられており、制御ボード（7）にはそれぞれバッテリーＵＳＢポート（8）と制御ボタン（9）が取り付けられ、バッテリーＵＳＢポートは、電線によってバッテリー（6）とつながっており、制御ボタン（9）は電線によってプロセッサ（10）とつながっており、前述モータ格納部（1）内部にモータ（12）が搭載されており、モータ（11）下端のモータ軸に回転調整可能な装置が取り付けられていることを特徴とする手持ち携帯扇風機。
【請求項２】
前述バッテリー内蔵部（3）上端は、ボルトによってキャップ（4）とつながっており、キャップ（4）の上側に環状突起１（5）を有していることを特徴とする請求項１記載の手持ち携帯扇風機。
【請求項３】
前述モータ格納部（1）下端に環状突起２（17）を有しており、環状突起２（17）の下端に連結ケース（18）が係合していることを特徴とする請求項１及び２記載の手持ち携帯扇風機。
【請求項４】
連結ケース（18）の下端にゴムパッド（19）がはめられていることを特徴とする請求項３記載の手持ち携帯扇風機。
【請求項５】
前述回転調整可能な装置の上端に回転盤（12）が設けられており、回転盤（12）がモータ（11）のモータ軸と接続されていることを特徴とする請求項１記載の手持ち携帯扇風機。
【請求項６】
回転盤（12）下端の三角に溝部（13）が均等に設けられており、溝部（13）両端にそれぞれ接続穴（14）が設けられ、接続穴（13）の間に連結棒（15）が設けられ、連結棒（15）の下端に羽根（16）が設けられていることを特徴とする請求項５記載の手持ち携帯扇風機。
【考案の詳細な説明】
【技術分野】
【０００１】
本考案は生活の一分野に関するものであり、具体的には手持ち携帯扇風機の一種である。
【背景技術】
【０００２】
扇風機とは、暑い日に風を発生させて涼感を得る用具。電気扇風機とは、電力によって気流を発生させる装置である。装置に設けられる羽根が電力によって回転し、風を起こして涼感を得る。モータの構造によって扇風機は、単相コンデンサ式、単相くまとりコイル式、三相誘導式、直流および交直流くし形整流子式に分類できる。
【０００３】
用途によっては、家庭用扇風機と工業用扇風機に分類できる。さらに風の吐出しと吸込みによっては軸流ファン、遠心ファン、横流ファンに分類できる。暑い日に室外で作業したり、遊んだりすると暑く感じることがあるため、よく手持ち扇風機で体温を抑制しているが、現在の手持ち扇風機は一般的に固定された構造であり、使いにくい場合があるという問題がある。
【考案の概要】
【考案が解決しようとする課題】
【０００４】
本考案は一種の手持ち携帯扇風機を提供することで上記背景技術に掲載された課題を解決しようとする。
【課題を解決するための手段】
【０００５】
上記目的を実現させるために、本考案は下記技術案を提供する。
手持ち携帯扇風機の一種である。モータ格納部があり、該当モータ格納部上端の切断面は傾斜角になり、接続管によってバッテリー内蔵部と接続されている。バッテリー内蔵部下端の切断面も傾斜角になり、該当バッテリー内蔵部の内部にバッテリーが搭載され、バッテリー下端は電線によってプロセッサと接続されている。該当バッテリー内蔵部のハウジング左側に制御ボードが取り付けられており、制御ボードにはそれぞれバッテリーＵＳＢポートと制御ボタンが取り付けられている。バッテリーＵＳＢポートは電線によってバッテリーとつながっており、制御ボタンは電線によってプロセッサとつながっている。前述モータ格納部内部にモータが搭載されており、モータ下端のモータ軸に回転調整可能な装置が取り付けられている。
【０００６】
本考案の最適実施例の一つとして、前述バッテリー内蔵部上端はボルトによってキャップとつながっている。キャップの上側に環状突起１を有しており、設備の点検、修理および接続を便利に実施できるという利点がある。
【０００７】
また、本考案の最適実施例の一つとして、前述モータ格納部下端に環状突起２を有している。環状突起２の下端に連結ケースが係合しており、設備を保護するだけでなく、グリップとして手で持つことができるため、便利に持ち歩けるという利点がある。
【０００８】
また、本考案の最適実施例の一つとして、前述の連結ケースの下端にゴムパッドがはめられ、連結ケースと接する時の摩擦力を上げることができる。このように設備の滑りを防止できるという利点がある。
【０００９】
また、本考案の最適実施例の一つとして、前述回転調整可能な装置の上端に回転盤が設けられており、回転盤がモータのモータ軸と接続されている。
【００１０】
また、本考案の最適実施例の一つとして、前述回転盤下端の三角に溝部が均等に設けられており、溝部両端にそれぞれ接続穴が設けられている。接続穴の間に連結棒が設けられ、連結棒の下端に羽根が設けられているため、羽根を便利にたたんで持ち歩けるという利点がある。
【００１１】
従来の技術と比べると、本考案のメリットとしては、羽根上端が連結棒によって溝部両端の接続穴とつながっているため、羽根をたたむことができる。連結ケースがモータ格納部の下端に係合させることによって、設備全体を円筒の形にして便利に持ち歩ける。
【００１２】
また、モータ格納部とバッテリー内蔵部の間に４５度の切断面が設けられ、二つの切断面に垂直になっている接続管によってモータ格納部を１８０度回転させることができる。そうすると、モータ格納部とバッテリー内蔵部が互いに垂直になる。それによって、扇風機を便利に使って風を作り出すことができる。
【００１３】
また、連結ケースが環状突起１に係合するようになると、グリップとして手で持つことができ、バッテリー内蔵部の長さも増加でき、より便利に持ち歩ける。連結ケースが環状突起２の下端に係合するようになると、羽根を連結ケースの奥に収納することができ、設備を保護する同時に便利に携帯できる。
【図面の簡単な説明】
【００１４】
【図１】本考案である一種の手持ち携帯扇風機の説明図である。
【図２】本考案である一種の手持ち携帯扇風機の正面からの説明図である。
【図３】本考案である一種の手持ち携帯扇風機の左側面からの説明図である。
【図４】本考案である一種の手持ち携帯扇風機のうちの回転盤の説明図である。
【考案を実施するための形態】
【００１５】
衝突がない場合には、本考案の実施例および実施例の中の特徴は互いに組み合わせることができる。本考案の実施例の目的、技術案および利点をより明確にさせるために、下記にて本考案の各実施例を図面に合わせて詳しく説明する。ただし、本考案の実施例の中では、本申請をより良く理解してもらえるように、技術に関して細かく書き並べているが、後述する細かい技術説明や下記各実施例に基づいたさまざまな変更と修正がなくても、本申請が保護を請求する技術案を実現できることを本分野の一般技術者がわかっている。
【００１６】
下記にて添付図面と実施例と合わせて本考案を詳しく説明する。
（実施例１）
図1〜4は本考案の実施例に記載される一種の手持ち携帯扇風機に関する図面である。一種の手持ち携帯扇風機の中に、モータ格納部1があり、該当モータ格納部1上端の切断面は45度の傾斜角になり、該当モータ格納部1上端の切断面は接続管2によってバッテリー内蔵部3と接続されている。
【００１７】
バッテリー内蔵部3下端の切断面も４５度の傾斜角になっている。モータ格納部1とバッテリー内蔵部3の間に設けられた４５度の切断面とその二つの切断面に垂直に設けられた接続管2によって、モータ格納部1を１８０度回転させることができる。そうすると、モータ格納部とバッテリー内蔵部が互いに垂直になる。それによって、扇風機を便利に使って風を作り出すことができる。
【００１８】
前述バッテリー内蔵部3上端はボルトによってキャップ4とつながっており、キャップ4の上側に「環状突起１」5を有している。前述バッテリー内蔵部3内部にバッテリー6が搭載されており、バッテリー6の下端は電線によってプロセッサ10と接続されている。前述バッテリー内蔵部3のハウジング左側に制御ボード7が取り付けられており、制御ボード7にはそれぞれバッテリーＵＳＢポート8と制御ボタン9が取り付けられている。
【００１９】
バッテリーＵＳＢポートは電線によってバッテリー6とつながっており、制御ボタン9は電線によってプロセッサ10とつながっている。前述モータ格納部1下端に「環状突起２」17が設けられており、「環状突起２」17の下端に連結ケース18が係合している。
【００２０】
また、連結ケース18は「環状突起１」5に係合するようになると、グリップとして手で持つことができ、バッテリー内蔵部3の長さも増加できるため、より便利に持ち歩ける。連結ケース18が「環状突起２」17の下端に係合するようになると、羽根16を連結ケース18の奥に収納することができ、設備を保護する同時に便利に携帯できる。
【００２１】
また、前述モータ格納部1内部にモータ11が設けられており、モータ11下端のモータ軸に回転調整可能な装置が取り付けられている。該当回転調整可能な装置の上端に回転盤12が設けられており、回転盤12とモータ11のモータ軸と接続されている。回転盤12下端の三角に溝部13が均等に設けられており、溝部13両端にそれぞれ接続穴14が設けられている。
【００２２】
接続穴13の間に連結棒15が設けられ、連結棒15の下端に羽根16が設けられている。羽根16上端が連結棒15によって溝部13両端の接続穴14とつながっているため、羽根16をたたむことができる。連結ケース18をモータ格納部1の下端に係合させることによって、設備全体を円筒の形にして便利に持ち歩ける。
【００２３】
（実施例２）
実施例1と異なる点として、連結ケース18下端にゴムパッド19をはめることによって、連結ケース18底部の摩擦力を上げることができる。そうすると、手持ち扇風機を滑りことなく置くことが可能。
【００２４】
本考案の説明について、別途明確に定めることや限定することがない限り、用語「取り付ける」「接続」「連結」「つながる」を広義に解釈するものとする。例えば、固定接続や取り外せ可能な接続、もしくは一体にするような接続に解釈でき、機械の接続や電力の接続、直接につながることや他のものを介して間接につながること、二つのエレメントの内部がつながることにも解釈できる。
【００２５】
本分野の一般技術者は、具体的な状況に合わせて上記用語の本考案における具体的な意味を理解できる。また、用語「中心」「縦向き」「横向き」「上」「下」「前」「後」「左」「右」「上下」「水平」「最上部」「底」「奥」「内」「外」などで示す方向もしくは位置関係は、添付図面が示した方向もしくは位置関係をもとにしており、本考案の説明をわかりやすくするための用語であり、説明する装置やエレメントを必ず特定の方向に向けて特定の方向によって構築もしくは操作することを指したり暗示したりするわけではないため、本考案に関する制限としてはいけない。
【００２６】
また、用語「1」「2」はわかりやすく説明するための用語であり、相対的な重要性もしくは技術特徴の数を指したり暗示したりするわけではないため、「1」「2」がついている特徴は該当特徴の一つか複数を明確的にもしくは暗示的に含めることができる。本考案の説明について、別途説明がない限り、「複数」は二つもしくはそれ以上を意味する。
【００２７】
本分野の技術者にとって、本考案は前述の代表的な実施例に限らず、本考案の精神と基本特徴に反しなければ、他の具体的な形で本考案を実現できることが明らかである。したがって、どの点から見ても、実施例を代表的で非限定的なものとすべき。本考案の範囲は上記説明ではなく、添付する権利要求に限定されるものとする。
【００２８】
そのため、権利要求と同等する要件の意味と範囲内のすべての変化を本考案に含めるものとする。権利要求の中のあらゆる添付図面や記号を関連権利要求の制限をするものとしてはいけない。
【符号の説明】
【００２９】
1  モータ格納部
2  接続管
3  バッテリー内蔵部
4  キャップ
5  環状突起１
6  バッテリー
7  制御ボード
8  バッテリーＵＳＢポート
9  スイッチ
10  プロセッサ
11  モータ
12  回転盤
13  溝部
14  接続穴
15  連結棒
16  羽根
17  環状突起２
18  連結ケース
19  ゴムパッド
【図１】
0003225881.tif 000003
【図２】
0003225881.tif 000004
【図３】
0003225881.tif 000005
【図４】
0003225881.tif 000006
【手続補正書】
【提出日】令和2年2月6日(2020.2.6)
【手続補正１】
【補正対象書類名】実用新案登録請求の範囲
【補正対象項目名】全文
【補正方法】変更
【補正の内容】
【実用新案登録請求の範囲】
【請求項１】
手持ち携帯扇風機であって、モータ格納部（1）があり、該当モータ格納部（1）上端の切断面は45度の傾斜角になり、接続管（2）によってバッテリー内蔵部（3）と接続され、バッテリー内蔵部（3）下端の切断面も45度の傾斜角になり、該当バッテリー内蔵部（3）の内部にバッテリー（6）が搭載され、バッテリー（6）下端は、電線によってプロセッサ（10）と接続され、該当バッテリー内蔵部（3）のハウジング左側に制御ボード（7）が取り付けられており、制御ボード（7）にはそれぞれバッテリーＵＳＢポート（8）と制御ボタン（9）が取り付けられ、バッテリーＵＳＢポートは、電線によってバッテリー（6）とつながっており、制御ボタン（9）は電線によってプロセッサ（10）とつながっており、前述モータ格納部（1）内部にモータ（11）が搭載されており、モータ（11）下端のモータ軸に回転調整可能な装置が取り付けられていることを特徴とする手持ち携帯扇風機。
【請求項２】
前述バッテリー内蔵部（3）上端は、ボルトによってキャップ（4）とつながっており、キャップ（4）の上側に環状突起１（5）を有していることを特徴とする請求項１記載の手持ち携帯扇風機。
【請求項３】
前述モータ格納部（1）下端に環状突起２（17）を有しており、環状突起２（17）の下端に連結ケース（18）が係合していることを特徴とする請求項１及び２記載の手持ち携帯扇風機。
【請求項４】
連結ケース（18）の下端にゴムパッド（19）がはめられていることを特徴とする請求項３記載の手持ち携帯扇風機。
【請求項５】
前述回転調整可能な装置の上端に回転盤（12）が設けられており、回転盤（12）がモータ（11）のモータ軸と接続されていることを特徴とする請求項１記載の手持ち携帯扇風機。
【請求項６】
回転盤（12）下端の三角に溝部（13）が均等に設けられており、溝部（13）両端にそれぞれ接続穴（14）が設けられ、接続穴（14）の間に連結棒（15）が設けられ、連結棒（15）の下端に羽根（16）が設けられていることを特徴とする請求項５記載の手持ち携帯扇風機。